(57)【要約】【課題】地下構造物用蓋が悪意の第三者によって抉じ開けられることを未然に防止できるようにする。【解決手段】受枠１の上端開口部に嵌合される蓋本体２の周縁部に工具差込口２１が形成され、その工具差込口２１に近接して蓋本体２の裏面部に施錠体３が揺動自在に吊支される。施錠体３には受枠１の内周の部位に係合する掛金部３１が形成され、蓋本体２と施錠体３との間には弾性部材５を介して工具差込口２１を閉塞する閉塞板４が押下げ可能に設けられる。閉塞板４には工具差込口２１に嵌まる栓部４１に隣接して該栓部よりも蓋本体２の中心側となる位置に障壁突起４２が設けられる。閉塞板４が栓部４１の押圧により降下されたとき、施錠体３の揺動により、障壁突起４２が工具差込口２１より蓋本体２の中心側にあって栓部４１よりも蓋本体２の裏面に近接する上部側に位置する。【選択図】図１
2008266969.tif 000002
【特許請求の範囲】
【請求項１】
受枠の上端開口部に嵌合される蓋本体の周縁部に工具差込口が形成され、その工具差込口に近接して前記蓋本体の裏面部に揺動自在に吊支される施錠体を有し、その施錠体に前記受枠の内周の部位に係合する掛金部が形成されると共に、
前記蓋本体と前記施錠体との間に弾性部材を介して前記工具差込口を閉塞する閉塞板が押下げ可能に設けられ、その閉塞板には前記工具差込口に嵌まる栓部に隣接して該栓部よりも前記蓋本体の中心側となる位置に障壁突起が設けられ、
前記閉塞板が前記栓部の押圧により降下されたとき、前記障壁突起が前記工具差込口より蓋本体の中心側にあって前記栓部よりも蓋本体の裏面に近接する上部側に位置するようにしたことを特徴とする地下構造物用蓋の施錠構造。
【請求項２】
前記蓋本体の裏面には、前記工具差込口に隣接して該工具差込口よりも蓋本体の中心側となる位置に所定の工具の先端を係合せしめるための凹部が形成され、前記工具差込口が前記栓部の嵌合により閉塞されているとき、前記凹部に前記障壁突起が入り込むことを特徴とする請求項１記載の地下構造物用蓋の施錠構造。
【発明の詳細な説明】
【技術分野】
【０００１】
本発明は、共同溝や下水道管といった地下構造物に通じる地表の開口部分（主に人の出入りが可能とされるマンホール）に設けられる地下構造物用蓋の施錠構造に関する。
【背景技術】
【０００２】
共同溝や下水道管といった地下構造物に通じる地表の開口部分には、開口縁を成す剛性の受枠が設置され、その受枠内に蓋本体が嵌合されて開口部分が閉鎖されるようになっているが、その種の地下構造物用蓋は、部外者や地下構造物内における圧力によって蓋本体が開放されぬよう施錠構造を備えることが一般的である。
【０００３】
係る施錠構造の代表例として、蓋本体の裏面に振子状の施錠体を揺動自在に吊支し、その施錠体に形成される掛金部が施錠体の自重によって受枠の内周の部位に係合するようにしたものが知られる。そして、その種の施錠構造によれば、蓋本体の周縁部に形成される工具差込口にバールなどを差し込むことにより、施錠体を揺動せしめて施錠解除を行い、この状態で蓋本体を引き上げてこれを開放することができる。
【０００４】
ここで、工具差込口が常時開放した状態にあると、そこから地下構造物内に土砂などが流入してしまうために、特許文献１では掛金部（係合突起）を形成する施錠体（施錠鈎）に、工具差込口（開口部）を閉塞する閉塞板を、弾性部材を介して押下げ可能に取り付けている。
【０００５】
又、特許文献２では、閉塞板が工具差込口（開口部）の開閉に際して受枠の内周面に当接しないようにするため、施錠体（施錠鉤）に閉塞板を誘導する案内面を設ける一方、閉塞板にはその降下時に案内面を摺動する凸部を設けている。
【０００６】
【特許文献１】実公平７−５６３５７号公報
【０００７】
【特許文献２】特許第３６１６９２０号公報
【発明の開示】
【発明が解決しようとする課題】
【０００８】
しかしながら、特許文献１、２のように工具差込口を閉塞する閉塞板を有するものによれば、工具差込口を通じて地下構造物内に雨水や土砂が流入することを防止することはできても、閉塞板の押下げ時に該閉塞板と蓋本体の裏面との間に大きな空隙が生ずるので、専用の工具を持たない悪意の第三者が一般に市販される鶴嘴や金属棒などを用いて蓋本体を抉じ開けてしまう虞があった。
【０００９】
尚、特許文献１、２では、施錠体の揺動支点の軸線が工具差込口の直下を通るようになっているので、閉塞板と蓋本体の裏面との間に鶴嘴の先端を差し込むことができたとしても、施錠体の支点位置より外周側で閉塞板を押圧しなければ施錠体による施錠が解除されないから専用工具以外での開蓋は困難である。しかし、施錠体の支点位置によっては、閉塞板と蓋本体の裏面との間に在り来りの金属棒を差し込みながら施錠体を揺動せしめて解錠することができるので、専用工具以外の金属棒などでも蓋本体を容易に開放できてしまう。
【００１０】
本発明は以上のような事情に鑑みて成されたものであり、その主たる目的は地下構造物用蓋が悪意の第三者によって抉じ開けられることを未然に防止できるようにすることにある。
【課題を解決するための手段】
【００１１】
本発明は上記目的を達成するため、
受枠の上端開口部に嵌合される蓋本体の周縁部に工具差込口が形成され、その工具差込口に近接して前記蓋本体の裏面部に揺動自在に吊支される施錠体を有し、その施錠体に前記受枠の内周の部位に係合する掛金部が形成されると共に、
前記蓋本体と前記施錠体との間に弾性部材を介して前記工具差込口を閉塞する閉塞板が押下げ可能に設けられ、その閉塞板には前記工具差込口に嵌まる栓部に隣接して該栓部よりも前記蓋本体の中心側となる位置に障壁突起が設けられ、
前記閉塞板が前記栓部の押圧により降下されたとき、前記施錠体の揺動により、前記障壁突起が前記工具差込口より蓋本体の中心側にあって前記栓部よりも蓋本体の裏面に近接する上部側に位置するようにしたことを特徴とする地下構造物用蓋の施錠構造を提供するものである。
【００１２】
特に、前記蓋本体の裏面には、前記工具差込口に隣接して該工具差込口よりも蓋本体の中心側となる位置に所定の工具の先端を係合せしめるための凹部が形成され、前記工具差込口が前記栓部の嵌合により閉塞されているとき、前記凹部に前記障壁突起が入り込む構成とされる。
【発明の効果】
【００１３】
本発明によれば、閉塞板に工具差込口に嵌まる栓部が設けられるほか、その栓部に隣接して該栓部よりも記蓋本体の中心側となる位置に障壁突起が設けられ、栓部の押圧による閉塞板の降下時に、施錠体の揺動により、障壁突起が工具差込口より蓋本体の中心側にあって栓部よりも蓋本体の裏面に近接する上部側に位置するようにしたことから、蓋本体の裏面と閉塞板との間に大きな空隙が生ずることを防止できる。従って、工具差込口から所定の工具以外の金属棒や鶴嘴が差し込まれても、その先端が障害突起に干渉して蓋本体の中心側奥深くまで差し込めなくなるので、所定の工具を持たない悪意の第三者により蓋本体が抉じ開けられることを防止できる。
【００１４】
又、蓋本体の裏面には、工具差込口に隣接して該工具差込口よりも蓋本体の中心側となる位置に所定の工具の先端を係合せしめるための凹部が形成されことから、所定の工具ではその先端を凹部に係合せしめて蓋本体を容易に開放することができ、しかも工具差込口が栓部の嵌合により閉塞されているときには、凹部に障壁突起が入り込む構成とされることから、障害突起が蓋本体に干渉することを防止して工具差込口を栓部にて良好に閉塞することができる。
【発明を実施するための最良の形態】
【００１５】
以下、本発明の適用例を図面に基づいて詳細に説明する。図１は本発明に係る地下構造物用蓋を部分的に破断して示した斜視図であり、図２には同断面を示す。図１、図２において、１は上端にテーパ状の開口部を形成する剛性環状の受枠であり、この受枠１は例えばマンホールの上部開口縁を成すよう地表付近に埋設され、その上面が地表面と一致するようにして地盤に固定される。特に、受枠１の内周部には下方に向けて突出する錠受け１１が一体に形成される。
【００１６】
２は受枠１の上端開口部に嵌合される円形状の蓋本体（マンホール蓋）であり、その周縁には一部分を切り欠いて成る半円状の工具差込口２１が形成され、その裏面部には工具差込口２１に近接して錠支持部２２が形成される。
【００１７】
尚、蓋本体２は、工具差込口２１とは反対側の裏面部に装置される図示せぬヒンジ金具により受枠１に開閉自在に連係され、閉蓋時には当該ヒンジ金具に対向する工具差込口２１が錠受け１１の上方に位置するようにしてある。
【００１８】
特に、蓋本体２の裏面には、当該蓋本体２の開放を抑止する施錠構造の主要構成部品として、施錠体３が工具差込口２１に近接して揺動自在に吊支される。施錠体３は錠受け１１に係合する掛金部３１を有する鋳物製の塊状構造物で、これには蓋本体２の工具差込口２１を閉塞するための閉塞板４、及び該閉塞板４を工具差込口２１に向けて付勢するための弾性部材５（本例において金属製コイルバネ）が組み付けられる。
【００１９】
図２で明らかなように、閉塞板４は蓋本体２の裏面と施錠体３との間にあって弾性部材５の付勢力に抗して押下げ可能に設けられ、これには工具差込口２１に嵌まる栓部４１と該栓部に隣接する障害突起４２とが一体に突設される。障害突起４２は、三角形の断面を有する形態で、栓部４１よりも蓋本体２の中心側となる位置（蓋本体２の中心寄り）に形成される。一方、蓋本体２の裏面には、工具差込口２１に隣接して該工具差込口２１よりも蓋本体２の中心側となる位置に凹部２３が形成され、工具差込口２１が栓部４１の嵌合により閉塞されているとき、上記障害突起４２が凹部２３に入り込む構成とされている。
【００２０】
そして、本発明に係る施錠構造によれば、閉蓋時に工具差込口２１が閉塞板４により閉塞され、開蓋時には、図３に示すように工具差込口２１に差し込まれる所定の工具６で栓部４１が押圧されることにより、閉塞板４が弾性部材５の付勢力に抗して降下されるほか、これに同期して施錠体３の揺動が行われて該施錠体に形成される掛金部３１が錠受け１１から離間するようになっている。尚、図４は蓋本体２の中心側に向かう施錠体３の上方揺動により施錠が解除された状態を示す斜視図であるが、図４では工具を示していない。
【００２１】
ここに、凹部２３には図３の如く工具６の先端が係合されるが、工具６による栓部４１の押圧で閉塞板４が降下されたとき、閉塞板４の障害突起４２は施錠体３の揺動により工具差込口２１より蓋本体２の中心側にあって栓部４１よりも蓋本体２の裏面に近接する上部側に位置し、蓋本体２と閉塞板４との間に大きな空隙が生ずることを防止する働きをする。尚、これによる作用効果は後述する。
【００２２】
次に、図５〜図８により施錠体の構造を詳しく説明すると、係る施錠体３は、上記のように受枠１の錠受け１１に対応する掛金部３１を有しており、その掛金部３１は受枠１の内周面側に向けられる背面下部から斜め上方に突出される。又、施錠体３の左右両側面部には上方に向けて延びる左右一対の腕部３２，３２が形成され、その両腕部３２，３２の上端から左右外方に向けて揺動支点と成す円柱状の枢軸部３３，３３が突出される。
【００２３】
更に、施錠体３の上部には、一対の腕部３２，３２の間で背面側に向けて斜めに立ち上がる左右一対の三角形状を成す突起部３４，３４が形成される。尚、その両突起部３４，３４は、閉蓋時における蓋本体２の裏面に接触して施錠体３が受枠１の内周側に接近することを抑止する働きをする（図２参照）。
【００２４】
ここで、係る施錠体３によれば、中心部に円筒状の空洞部３５が形成されると共に、該空洞部３５の内壁面には凹字断面を有する溝形の軸案内路３６，３６が相対向して形成される。図８から明らかなように、空洞部３５は底面部３７を有する縦長の形態で、その上部は腕部３２，３２の間で開口される。一方、軸案内路３６は空洞部３５の長さ方向に延びる直線状の形態であり、その両端は上下方向に開放される。
【００２５】
図９及び図１０は、施錠体３に閉塞板４を組み付けた状態を示す斜視図である。これらの図で明らかなように、閉塞板４は薄板状の座板部４３上に上記栓部４１と障害突起４２を一体に設けた構成であり、その栓部４１は上記工具差込口２１と同形とされ、障害突起４２は三角形の断面をもつ円弧状の凸条とされている。尚、係る閉塞板４はその全幅が施錠体３の両腕部３２，３２の間隔よりも小さくされ、これにより閉塞板４が両腕部３２，３２の間で上下方向に移動可能とされる。
【００２６】
特に、閉塞板４は、２つのスライド軸７，７の一端に固着され、そのスライド軸７，７が互いに平行して閉塞板４の裏面両側から下方に延長するようにしてある。スライド軸７，７は角柱状の形態であり、その両者間には円盤状の受圧板８（図２、図３参照）が固設され、その受圧板８により２つのスライド軸７，７が連結される構成としてある。尚、受圧板８は円盤状以外の形態でもよく、要は空洞部３５内において受圧板８が弾性部材５で支持されながら軸案内路３６に沿って移動可能とされていればよい。又、閉塞板４とスライド軸７と受圧板８は別部品を一体的に連結してもよいし、それらを鋳造などにより一体成型してもよい。
【００２７】
そして、以上のような２脚式の閉塞板４は、施錠体３に形成した軸案内路３６，３６にスライド軸７，７を嵌入せしめることにより施錠体３と組み合わされる。尚、スライド軸７，７は軸案内路３６，３６に沿って摺動されるのであり、このため閉塞板４はスライド軸７，７で支持されたまま該スライド軸７，７の指向方向に移動することができる。
【００２８】
又、スライド軸７，７の間には受圧板８の下方で上記弾性部材５が配置され、その弾性部材５が施錠体３の空洞部３５に収容される。そして、施錠体３の上面には図１０のようにビスにてチップ板９が固定され、そのチップ板９により空洞部３５の上端開口部分が閉鎖され、その空洞部３５内において受圧板８が弾性部材５で弾性的に支持されるようになっている。尚、チップ板９は空洞部３５内に汚水や塵埃が侵入するのを防止するほか、スライド軸７，７の抜止めとしての役割を果たす。
【００２９】
ここに、閉塞板４（栓部４１）の上面を押圧したとき、その圧力がスライド軸７，７から受圧板８を通じて弾性部材５に与えられ、これにより弾性部材５が縮小されつつ閉塞板４が降下する一方、閉塞板４に対する押圧力を解除したときには、受圧板８が弾性部材５に押されてスライド軸７，７が閉塞板４側に摺動し、これによって閉塞板４の上昇移動が行われるようになっている。
【００３０】
次に、図１１及び図１２により蓋本体の構造を説明すると、蓋本体２の裏面には、工具差込口２１の位置を挟む一対の側壁２２Ａ，２２Ａを設けて施錠体３を吊支する上記錠支持部２２が形成される。両側壁２２Ａ，２２Ａの内側面にはそれぞれ一端が閉じられた凹溝２２Ｂ，２２Ｂが形成され、該凹溝２２Ｂ，２２Ｂの閉鎖端が施錠体の枢軸部３３を回転自在に支持する軸受部２２Ｃ，２２Ｃとされる。そして、凹溝２２Ｂ，２２Ｂには、図１２に示すように軸受部２２Ｃ，２２Ｃに隣接してストッパ２２Ｄ（図示例においてボルト）が取り付けられ、そのストッパ２２Ｄにより枢軸部３３，３３が軸受部２２Ｃ，２２Ｃに位置決めされるようにしてある。
【００３１】
尚、図１１に示すように、軸受部２２Ｃで支持される枢軸部３３の軸線Ｌ（施錠体３の揺動中心）は、工具差込口２１の位置を外れてそれよりも蓋本体２の中心側に位置するのであり、このため工具差込口２１に嵌合する上記閉塞板４の栓部４１を押圧したとき、その閉塞板４が降下しながら、施錠体３が枢軸部３３を中心として解錠側（蓋本体２の中心側）に揺動することとなる。
【００３２】
次に、本発明の作用を説明する。ここに、蓋本体２を開放する場合には、図３のように、鉤形（Ｊ字形）をした工具６の先端部を工具差込口２１に差し込み、これによって閉塞板４（栓部４１）の上面を押圧する。すると、閉塞板４が弾性部材５の弾力に抗して降下する一方、その押圧力により施錠体３が蓋本体２の中心側に揺動する。この結果、掛金部３１が錠受け１１から離間して蓋本体２の施錠が解除されるために、工具６の先端を凹部２３に係合させながら蓋本体２を引き上げることにより蓋本体２を開放することができる。
【００３３】
尚、図３のような工具６によれば、蓋本体２と障害突起４２との間の狭い空隙を通じて先端を凹部２３に係合させ、以って蓋本体２を容易に開放できるが、図１３〜図１５のような単なる金属棒Ｓや図示せぬ鶴嘴では、閉塞板４を押下げることはできても障害突起４２により侵入を阻害され、その先端を奥深くまで差し込むことが許容されず、しかも金属棒Ｓの先端が障害突起４２に突き当たった状態では、図１５のように施錠体３の掛金部３１が錠受け１１に臨んで施錠が解除されないので、蓋本体２を開放することはできない。
【００３４】
このように、障害突起４２をもつ閉塞板４では、所定の工具６による蓋本体２の開放を許容しながら、悪意の第三者が在り来りの金属棒Ｓなどを用いて蓋本体２を抉じ開けることを防止できるという効果が得られる。尚、蓋本体２を容易に開放することのできる所定の工具としては、図１６のように先端がＪ字形に曲がった工具６のほか、先端がＬ字形に曲がった工具６´が挙げられる。
【００３５】
以上、本発明について説明したが、障害突起は少なくとも栓部４１よりも蓋本体２の中心側となる位置に設けられていればよい。つまり、栓部４１よりも蓋本体２の中心側となる位置を含んでいれば、図１７のように蓋本体２の周方向両側で栓部４１に隣接する部分を含んだ半円弧状の障害突起４２´でもよい。又、蓋本体２の裏面に凹部２３が形成されていれば、閉蓋時において障害突起４２，４２´が蓋本体２の裏面に干渉するのを防止しながら、開蓋に際して工具６，６´の先端を凹部２３に係合させることができるので好ましいが、蓋本体２を障害突起４２，４２´が干渉しない厚さに設定して凹部２３を省略することもできる。但し、この場合には蓋本体２に所要の強度を持たせるための対策を講じる必要がある。
【００３６】
又、上記例では、閉塞板４が２つのスライド軸７を介して施錠体３に取り付けられる構成としたが、スライド軸７は一つでもよい。
【図面の簡単な説明】
【００３７】
【図１】本発明の要部を破断して示した斜視図（閉蓋時）
【図２】本発明の要部断面図（閉蓋時）
【図３】本発明の要部断面図（開蓋直前の状態）
【図４】本発明の要部を破断して示した斜視図（開蓋直前の状態）
【図５】施錠体を正面側からみた斜視図
【図６】施錠体を背面側からみた斜視図
【図７】施錠体の平面図
【図８】図７におけるＸ−Ｘ断面図
【図９】閉塞板が組み付けられた施錠体を背面側からみた斜視図
【図１０】閉塞板が組み付けられた施錠体を側方からみた斜視図
【図１１】工具差込口の周囲を示す蓋本体の裏面図
【図１２】図１１のＹ−Ｙ拡大断面図
【図１３】工具差込口に所定の工具以外を挿入した時の閉塞板の状態を示す要部断面図
【図１４】工具差込口に所定の工具以外を挿入した時の状態を示す要部斜視図
【図１５】工具差込口に所定の工具以外を挿入した時の施錠体の状態を示す要部断面図
【図１６】本発明の開蓋に用いられる所定の工具を示す説明図
【図１７】障害突起の変形例を示す説明図
【符号の説明】
【００３８】
１  受枠
１１  錠受け
２  蓋本体
２１  工具差込口
２３  凹部
３  施錠体
３１  掛金部
３３  枢軸部
４  閉塞板
４１  栓部
４２，４２´  障害突起
５  弾性部材
６，６´  所定の工具
【図１】
2008266969.tif 000003
【図２】
2008266969.tif 000004
【図３】
2008266969.tif 000005
【図４】
2008266969.tif 000006
【図５】
2008266969.tif 000007
【図６】
2008266969.tif 000008
【図７】
2008266969.tif 000009
【図８】
2008266969.tif 000010
【図９】
2008266969.tif 000011
【図１０】
2008266969.tif 000012
【図１１】
2008266969.tif 000013
【図１２】
2008266969.tif 000014
【図１３】
2008266969.tif 000015
【図１４】
2008266969.tif 000016
【図１５】
2008266969.tif 000017
【図１６】
2008266969.tif 000018
【図１７】
2008266969.tif 000019